(57)【要約】【課題】本発明は自転車レーンに適用される小型自動清掃車を開示した。【解決手段】左右対称に設置された枠を含み、前記枠の中にはいずれも開口空間が設けられ、二つの前記開口空間の頂壁にはそれぞれＴ型スライドブロックが固定的に設けられ、前記枠の下側には作動箱が設けられ、前記作動箱の頂面には上方に開口したＴ型スライドチャンバが設けられ、前記Ｔ型スライドブロックと前記Ｔ型スライドチャンバとがスライドできるように連結され、前記作動箱の中には吸入チャンバが左右対称に設けられ、前記吸入チャンバの中には吸塵装置が設けられ、前記吸塵装置は前記吸入チャンバの底壁に設けられた吸気パイプを含み、二つの前記吸気パイプの間には下方に開口した底部空間が設けられ、前記吸気パイプの底側には前記作動箱の底面と固定的に連結された吸気ヘッドが連通するように設けられている。【選択図】図１
2020204242.tif 000002
【特許請求の範囲】
【請求項１】
正面視で、左右対称に設置された枠を含み、前記枠の中にはいずれも開口空間が設けられ、二つの前記開口空間の頂壁にはそれぞれＴ型スライドブロックが固定的に設けられ、前記枠の下側には作動箱が設けられ、前記作動箱の頂面には上方に開口したＴ型スライドチャンバが設けられ、前記Ｔ型スライドブロックと前記Ｔ型スライドチャンバとがスライドできるように連結され、前記作動箱の中には吸入チャンバが左右対称に設けられ、前記吸入チャンバの中には吸塵装置が設けられ、
前記吸塵装置は前記吸入チャンバの底壁に設けられた吸気パイプを含み、二つの前記吸気パイプの間には下方に開口した底部空間が設けられ、前記吸気パイプの底側には前記作動箱の底面と固定的に連結された吸気ヘッドが連通するように設けられ、前記吸入チャンバの底壁には前記底部空間と連通した吸入パイプが設けられ、前記吸入パイプの底側には前記底部空間の頂壁と固定的に連結された除塵ヘッドが設けられ、前記吸入チャンバの前側壁にはファン軸が回転できるように連結され、前記ファン軸の前側には第一傘歯車が固定的に設けられ、前記ファン軸の後側にはタービンが固定的に設けられ、前記吸入チャンバの後側壁にはいずれも収集チャンバが設けられ、前記収集チャンバの左側壁には取り外し可能な濾過網が設けられ、
前記底部空間の中には地面を清掃することができる清掃装置が設けられ、前記底部空間の頂側には動力空間が設けられ、前記動力空間の左右側壁には連動空間が対称的に設けられ、前記連動空間の後側には作動空間が設けられ、前記作動空間と、前記動力空間と、前記連動空間との間には前記吸塵装置と前記清掃装置とを始動できる動力装置が設けられ、前記枠には前記作動箱を左へ駆動し移動させることができる駆動装置が設けられ、前記Ｔ型スライドチャンバの中には前記動力装置の作動を制御することができる起動装置が設けられていることを特徴とする自転車レーンに適用される小型自動清掃車。
【請求項２】
前記清掃装置は貫通軸と、大プーリーと、清掃ベルトと、ブラシと、中プーリーとを含み、前記底部空間の前後側壁には前記貫通軸が回転できるように左右対称に取り付けられ、前記貫通軸には前記大プーリーが設けられ、二つの前記大プーリーの間には前記清掃ベルトが連結され、前記清掃ベルトには埃を清掃できる前記ブラシが固定的に設けられ、前記貫通軸が後へ伸び前記底部空間の後側壁を貫通して前記作動空間の中に入り、且つ前記作動空間の前後側壁と回転できるように連結され、前記貫通軸のうち前記作動空間の中に位置したところには前記中プーリーが固定的に設けられていることを特徴とする請求項１に記載の自転車レーンに適用される小型自動清掃車。
【請求項３】
前記動力装置は動力モーターと、動力軸と、台形ブロックと、空心軸と、凹チャンバと、駆動プーリーと、縦軸と、従動プーリーと、伝動ベルトと、第二傘歯車と、横軸と、第三傘歯車と、第四傘歯車と、延伸軸と、後側傘歯車と、小プーリーと、駆動ベルトとを含み、前記動力空間の前後側壁には前記動力モーターが固定的に取り付けられ、前記動力モーターの中には前記動力軸が連結され、前記動力軸には前記台形ブロックが上下対称に設けられ、前記動力空間の上下側壁には前記空心軸が対称に回転できるように連結され、前記空心軸の中には前記凹チャンバが設けられ、前記凹チャンバの内壁には前記台形ブロックと協働することができる爪車が固定的に設けられ、上下両側の前記爪車と前記台形ブロックとの取り付け方向が逆であり、前記動力軸が正方向へ回転する時に上側の前記空心軸を回転連動させることができ、前記動力軸が逆方向へ回転する時に下側の前記空心軸を回転連動させることができ、前記空心軸にはそれぞれ前記駆動プーリーが固定的に設けられ、前記連動空間の上下側壁にはそれぞれ前記縦軸が回転できるように連結され、前記縦軸の下側には前記従動プーリーが固定的に設けられ、前記従動プーリーと前記駆動プーリーとの間には前記伝動ベルトが連結され、前記従動プーリーと前記駆動プーリーとが相対しており、前記縦軸の上側には前記第二傘歯車が固定的に設けられ、前記吸入チャンバと前記連動空間の片側壁との間には前記横軸が左右対称に回転できるように連結され、前記横軸の片側には前記第二傘歯車と噛合した前記第三傘歯車が固定的に設けられ、前記横軸のもう片側には前記第一傘歯車と噛合した前記第四傘歯車が固定的に設けられ、二つの前記連動空間の後側壁にはそれぞれ前記延伸軸が回転できるように連結され、前記延伸軸の前側には前記第二傘歯車と噛合した前記後側傘歯車が固定的に設けられ、二つの前記延伸軸が後方へ伸び前記連動空間の後側壁を貫通して前記作動空間の中に入り、且つ前記作動空間の前後側壁と回転できるように連結され、前記延伸軸が前記作動空間の中に位置したところにはそれぞれ前記小プーリーが固定的に設けられ、前記小プーリーと前記中プーリーとの間には前記駆動ベルトが連結されていることを特徴とする請求項１に記載の自転車レーンに適用される小型自動清掃車。
【請求項４】
前記駆動装置は駆動モーターと、駆動親ねじと、ネジ山ブロックとを含み、右側の前記枠の左側面には前記駆動モーターが固定的に取り付けられ、前記駆動モーターの中には左側の前記枠の右側面と回転できるように連結された前記駆動親ねじが連結され、前記駆動親ねじには前記ネジ山ブロックがねじ山によって連結され、前記ネジ山ブロックの底側が前記作動箱と固定的に連結されていることを特徴とする請求項１に記載の自転車レーンに適用される小型自動清掃車。
【請求項５】
前記起動装置は通電ブロックと、連結バネと、接続ブロックと、電線とを含み、相対した前記Ｔ型スライドチャンバの中にはそれぞれ左右対称な前記通電ブロックがスライドできるように連結され、前記通電ブロックと前記Ｔ型スライドチャンバとの間には前記連結バネが連結され、前記Ｔ型スライドチャンバの底壁には前記接続ブロックが固定的に連結され、前記通電ブロックと前記接続ブロックとは電気で接続されることができ、前記接続ブロックの片側面には前記電線が連結され、前記電線と前記動力モーターとが連結されていることを特徴とする請求項１に記載の自転車レーンに適用される小型自動清掃車。
【請求項６】
前記貫通軸と前記大プーリーとが円錐形ブロックと爪車とによって連結され、左側の前記貫通軸が逆方向へ回転する時、二つの前記大プーリーが駆動されて回転し、この時右側の前記大プーリーは右側の貫通軸を回転連動させることができなく、右側の前記貫通軸が逆方向へ回転するとき、二つの前記大プーリーを回転連動させ、この時左側の前記大プーリーは右側の前記貫通軸を回転連動させることができないことを特徴とする請求項２に記載の自転車レーンに適用される小型自動清掃車。
【請求項７】
前記電線は電気で前記動力モーターを始動することができることを特徴とする請求項５に記載の自転車レーンに適用される小型自動清掃車。
【請求項８】
前記枠の底面にはいずれも二つの輪が設けられていることを特徴とする請求項１に記載の自転車レーンに適用される小型自動清掃車。
【請求項９】
前記第二傘歯車の直径は前記第三傘歯車の直径より大きいことを特徴とする請求項３に記載の自転車レーンに適用される小型自動清掃車。
【発明の詳細な説明】
【技術分野】
【０００１】
本発明は道路清掃分野を取り上げて、具体的には自転車レーンに適用される小型自動清掃車である。
【背景技術】
【０００２】
今では、道路建設の快速な発展につれ、建設できた道路に対して、毎日埃とゴミを清掃する必要があり、自動車道に対しては大型の自動清掃車で清掃するが、自転車レーンでは、道路の状況が複雑で、また道路が狭いので、一般的に手動で清掃し、人工で清掃することは、効率が低い一方、作業環境が悪く、夏は熱いし、冬は寒く、労働者が清掃する過程において病気になりやすく、また、道路を清掃する過程で、一番清掃しにくいのは道路の両側であり、埃が道路の縁に溜まりやすい。
【先行技術文献】
【特許文献】
【０００３】
【特許文献１】中国特許出願公開第１０７３３８７５４号明細書
【発明の概要】
【発明が解決しようとする課題】
【０００４】
本発明の目的は自転車レーンに適用される小型自動清掃車を提供し、それは上記の現在の技術中の問題を解決できる。
【課題を解決するための手段】
【０００５】
上記の課題を解決するため、本発明は以下の技術プランを採用する：本発明の自転車レーンに適用される小型自動清掃車は、左右対称に設置された枠を含み、前記枠の中にはいずれも開口空間が設けられ、二つの前記開口空間の頂壁にはそれぞれＴ型スライドブロックが固定的に設けられ、前記枠の下側には作動箱が設けられ、前記作動箱の頂面には上方に開口したＴ型スライドチャンバが設けられ、前記Ｔ型スライドブロックと前記Ｔ型スライドチャンバとがスライドできるように連結され、前記作動箱の中には吸入チャンバが左右対称に設けられ、前記吸入チャンバの中には吸塵装置が設けられ、
前記吸塵装置は前記吸入チャンバの底壁に設けられた吸気パイプを含み、二つの前記吸気パイプの間には下方に開口した底部空間が設けられ、前記吸気パイプの底側には前記作動箱の底面と固定的に連結された吸気ヘッドが連通するように設けられ、前記吸入チャンバの底壁には前記底部空間と連通した吸入パイプが設けられ、前記吸入パイプの底側には前記底部空間の頂壁と固定的に連結された除塵ヘッドが設けられ、前記吸入チャンバの前側壁にはファン軸が回転できるように連結され、前記ファン軸の前側には第一傘歯車が固定的に設けられ、前記ファン軸の後側にはタービンが固定的に設けられ、前記吸入チャンバの後側壁にはいずれも収集チャンバが設けられ、前記収集チャンバの左側壁には取り外し可能な濾過網が設けられ、
前記底部空間の中には地面を清掃することができる清掃装置が設けられ、前記底部空間の頂側には動力空間が設けられ、前記動力空間の左右側壁には連動空間が対称的に設けられ、前記連動空間の後側には作動空間が設けられ、前記作動空間と、前記動力空間と、前記連動空間との間には前記吸塵装置と前記清掃装置とを始動できる動力装置が設けられ、前記枠には前記作動箱を左へ駆動し移動させることができる駆動装置が設けられ、前記Ｔ型スライドチャンバの中には前記動力装置の作動を制御することができる起動装置が設けられている。
【０００６】
更の技術プラン、前記清掃装置は貫通軸と、大プーリーと、清掃ベルトと、ブラシと、中プーリーとを含み、前記底部空間の前後側壁には前記貫通軸が回転できるように左右対称に取り付けられ、前記貫通軸には前記大プーリーが設けられ、二つの前記大プーリーの間には前記清掃ベルトが連結され、前記清掃ベルトには埃を清掃できる前記ブラシが固定的に設けられ、前記貫通軸が後へ伸び前記底部空間の後側壁を貫通して前記作動空間の中に入り、且つ前記作動空間の前後側壁と回転できるように連結され、前記貫通軸のうち前記作動空間の中に位置したところには前記中プーリーが固定的に設けられている。
【０００７】
更の技術プラン、前記動力装置は動力モーターと、動力軸と、台形ブロックと、空心軸と、凹チャンバと、駆動プーリーと、縦軸と、従動プーリーと、伝動ベルトと、第二傘歯車と、横軸と、第三傘歯車と、第四傘歯車と、延伸軸と、後側傘歯車と、小プーリーと、駆動ベルトとを含み、前記動力空間の前後側壁には前記動力モーターが固定的に取り付けられ、前記動力モーターの中には前記動力軸が連結され、前記動力軸には前記台形ブロックが上下対称に設けられ、前記動力空間の上下側壁には前記空心軸が対称に回転できるように連結され、前記空心軸の中には前記凹チャンバが設けられ、前記凹チャンバの内壁には前記台形ブロックと協働することができる爪車が固定的に設けられ、上下両側の前記爪車と前記台形ブロックとの取り付け方向が逆であり、前記動力軸が正方向へ回転する時に上側の前記空心軸を回転連動させることができ、前記動力軸が逆方向へ回転する時に下側の前記空心軸を回転連動させることができ、前記空心軸にはそれぞれ前記駆動プーリーが固定的に設けられ、前記連動空間の上下側壁にはそれぞれ前記縦軸が回転できるように連結され、前記縦軸の下側には前記従動プーリーが固定的に設けられ、前記従動プーリーと前記駆動プーリーとの間には前記伝動ベルトが連結され、前記従動プーリーと前記駆動プーリーとが相対しており、前記縦軸の上側には前記第二傘歯車が固定的に設けられ、前記吸入チャンバと前記連動空間の片側壁との間には前記横軸が左右対称に回転できるように連結され、前記横軸の片側には前記第二傘歯車と噛合した前記第三傘歯車が固定的に設けられ、前記横軸のもう片側には前記第一傘歯車と噛合した前記第四傘歯車が固定的に設けられ、二つの前記連動空間の後側壁にはそれぞれ前記延伸軸が回転できるように連結され、前記延伸軸の前側には前記第二傘歯車と噛合した前記後側傘歯車が固定的に設けられ、二つの前記延伸軸が後方へ伸び前記連動空間の後側壁を貫通して前記作動空間の中に入り、且つ前記作動空間の前後側壁と回転できるように連結され、前記延伸軸が前記作動空間の中に位置したところにはそれぞれ前記小プーリーが固定的に設けられ、前記小プーリーと前記中プーリーとの間には前記駆動ベルトが連結されている。
【０００８】
更の技術プラン、前記駆動装置は駆動モーターと、駆動親ねじと、ネジ山ブロックとを含み、右側の前記枠の左側面には前記駆動モーターが固定的に取り付けられ、前記駆動モーターの中には左側の前記枠の右側面と回転できるように連結された前記駆動親ねじが連結され、前記駆動親ねじには前記ネジ山ブロックがねじ山によって連結され、前記ネジ山ブロックの底側が前記作動箱と固定的に連結されている。
【０００９】
更の技術プラン、前記起動装置は通電ブロックと、連結バネと、接続ブロックと、電線とを含み、相対した前記Ｔ型スライドチャンバの中にはそれぞれ左右対称な前記通電ブロックがスライドできるように連結され、前記通電ブロックと前記Ｔ型スライドチャンバとの間には前記連結バネが連結され、前記Ｔ型スライドチャンバの底壁には前記接続ブロックが固定的に連結され、前記通電ブロックと前記接続ブロックとは電気で接続されることができ、前記接続ブロックの片側面には前記電線が連結され、前記電線と前記動力モーターとが連結されている。
【００１０】
更の技術プラン、前記貫通軸と前記大プーリーとが円錐形ブロックと爪車とによって連結され、左側の前記貫通軸が逆方向へ回転する時、二つの前記大プーリーが駆動されて回転し、この時右側の前記大プーリーは右側の貫通軸を回転連動させることができなく、右側の前記貫通軸が逆方向へ回転するとき、二つの前記大プーリーを回転連動させ、この時左側の前記大プーリーは右側の前記貫通軸を回転連動させることができない。
【００１１】
更の技術プラン、前記電線は電気で前記動力モーターを始動することができる。
【００１２】
更の技術プラン、前記枠の底面にはいずれも二つの輪が設けられている。
【００１３】
更の技術プラン、前記第二傘歯車の直径は前記第三傘歯車の直径より大きい。
【発明の効果】
【００１４】
本装置は路面状況が複雑の自転車レーンに適応され、自動的にゴミと埃を片側へ清掃でき、タービンで本装置の中に吸い込んで収集し、労働者が熱い夏や寒い冬に手動でゴミや埃を清掃する必要はなく、同時に手動で清掃するより効率が上げられ、間接的に労働者の身体健康を守り、人力と物質を節約できる。
また、本装置は道路の縁の一番清掃しにくいゴミと埃とを適時に清掃でき、二つの起動装置により、逆行しなくても左右両側の道路の縁にあるゴミを清掃できる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の自転車レーンに適用される小型自動清掃車の全体断面の正面構成略図
【図２】図２は図１のＡの部分拡大図
【図３】図３は図１のＢの部分拡大図
【図４】図４は図１の作動箱の後側の正面図
【図５】図５は図１の枠の側面図
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。
【００１８】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１９】
図１〜５を参照し、本発明の自転車レーンに適用される小型自動清掃車は、左右対称に設置された枠２１を含み、前記枠２１の中にはいずれも開口空間４１が設けられ、二つの前記開口空間４１の頂壁にはそれぞれＴ型スライドブロック４２が固定的に設けられ、前記枠２１の下側には作動箱４０が設けられ、前記作動箱４０の頂面には上方に開口したＴ型スライドチャンバ４３が設けられ、前記Ｔ型スライドブロック４２と前記Ｔ型スライドチャンバ４３とがスライドできるように連結され、前記作動箱４０の中には吸入チャンバ２９が左右対称に設けられ、前記吸入チャンバ２９の中には吸塵装置１０１が設けられ、前記吸塵装置１０１は前記吸入チャンバ２９の底壁に設けられた吸気パイプ３９を含み、二つの前記吸気パイプ３９の間には下方に開口した底部空間３６が設けられ、前記吸気パイプ３９の底側には前記作動箱４０の底面と固定的に連結された吸気ヘッド３８が連通するように設けられ、前記吸入チャンバ２９の底壁には前記底部空間３６と連通した吸入パイプ３１が設けられ、前記吸入パイプ３１の底側には前記底部空間３６の頂壁と固定的に連結された除塵ヘッド３２が設けられ、前記吸入チャンバ２９の前側壁にはファン軸２７が回転できるように連結され、前記ファン軸２７の前側には第一傘歯車２６が固定的に設けられ、前記ファン軸２７の後側にはタービン２８が固定的に設けられ、前記吸入チャンバ２９の後側壁にはいずれも収集チャンバ６５が設けられ、前記収集チャンバ６５の左側壁には取り外し可能な濾過網６４が設けられ、前記底部空間３６の中には地面を清掃することができる清掃装置１０２が設けられ、前記底部空間３６の頂側には動力空間７１が設けられ、前記動力空間７１の左右側壁には連動空間７２が対称的に設けられ、前記連動空間７２の後側には作動空間６９が設けられ、前記作動空間６９と、前記動力空間７１と、前記連動空間７２との間には前記吸塵装置１０１と前記清掃装置１０２とを始動できる動力装置１０３が設けられ、前記枠２１には前記作動箱４０を左へ駆動し移動させることができる駆動装置１０４が設けられ、前記Ｔ型スライドチャンバ４３の中には前記動力装置１０３の作動を制御することができる起動装置１０５が設けられている。
【００２０】
前記清掃装置１０２は前記底部空間３６の前後側壁に回転できるように左右対称に取り付けられた貫通軸３３を含み、前記貫通軸３３には大プーリー３４が設けられ、二つの前記大プーリー３４の間には清掃ベルト７３が連結され、前記清掃ベルト７３には埃を清掃できるブラシ３５が固定的に設けられ、前記貫通軸３３が後へ伸び前記底部空間３６の後側壁を貫通して前記作動空間６９の中に入り、且つ前記作動空間６９の前後側壁と回転できるように連結され、前記貫通軸３３のうち前記作動空間６９の中に位置したところには中プーリー６６が固定的に設けられ、前記中プーリー６６が回転する時、前記貫通軸３３と、前記大プーリー３４と、前記清掃ベルト７３と、前記ブラシ３５とを回転連動させ、これによって地面にある埃を片側へ清掃する。
【００２１】
前記動力装置１０３は前記動力空間７１の前後側壁に固定的に取り付けられた動力モーター６２を含み、前記動力モーター６２の中には動力軸７４が連結され、前記動力軸７４には台形ブロック５７が上下対称に設けられ、前記動力空間７１の上下側壁には空心軸５９が対称に回転できるように連結され、前記空心軸５９の中には凹チャンバ６０が設けられ、前記凹チャンバ６０の内壁には前記台形ブロック５７と協働することができる爪車６１が固定的に設けられ、上下両側の前記爪車６１と前記台形ブロック５７との取り付け方向が逆であり、前記動力軸７４が正方向へ回転する時に上側の前記空心軸５９を回転連動させることができ、前記動力軸７４が逆方向へ回転する時に下側の前記空心軸５９を回転連動させることができ、前記空心軸５９にはそれぞれ駆動プーリー５８が固定的に設けられ、前記連動空間７２の上下側壁にはそれぞれ縦軸４９が回転できるように連結され、前記縦軸４９の下側には従動プーリー４８が固定的に設けられ、前記従動プーリー４８と前記駆動プーリー５８との間には伝動ベルト４７が連結され、前記従動プーリー４８と前記駆動プーリー５８とが相対しており、前記縦軸４９の上側には第二傘歯車５０が固定的に設けられ、前記吸入チャンバ２９と前記連動空間７２の片側壁との間には横軸５１が左右対称に回転できるように連結され、前記横軸５１の片側には前記第二傘歯車５０と噛合した第三傘歯車５２が固定的に設けられ、前記横軸５１のもう片側には前記第一傘歯車２６と噛合した第四傘歯車２５が固定的に設けられ、二つの前記連動空間７２の後側壁にはそれぞれ延伸軸５３が回転できるように連結され、前記延伸軸５３の前側には前記第二傘歯車５０と噛合した後側傘歯車５４が固定的に設けられ、二つの前記延伸軸５３が後方へ伸び前記連動空間７２の後側壁を貫通して前記作動空間６９の中に入り、且つ前記作動空間６９の前後側壁と回転できるように連結され、前記延伸軸５３が前記作動空間６９の中に位置したところにはそれぞれ小プーリー６７が固定的に設けられ、前記小プーリー６７と前記中プーリー６６との間には駆動ベルト６８が連結され、前記小プーリー６７と前記中プーリー６６とが相対しており、前記動力モーター６２が正回転する時、前記動力軸７４を連動させて正回転させ、これによって上側の前記空心軸５９と前記駆動プーリー５８とを回転連動させ、これによって右側の前記従動プーリー４８と、前記縦軸４９と、前記第二傘歯車５０と、前記第三傘歯車５２と、前記横軸５１と、前記第四傘歯車２５と、前記後側傘歯車５４と、前記延伸軸５３と、前記小プーリー６７と、前記中プーリー６６とを回転連動させ、これによって装置に動力を提供する。
【００２２】
前記駆動装置１０４は右側の前記枠２１の左側面に固定的に取り付けられた駆動モーター２４を含み、前記駆動モーター２４の中には左側の前記枠２１の右側面と回転できるように連結された駆動親ねじ２２が連結され、前記駆動親ねじ２２にはネジ山ブロック２３がねじ山によって連結され、前記ネジ山ブロック２３の底側が前記作動箱４０と固定的に連結され、前記駆動モーター２４を始動することによって前記駆動親ねじ２２を回転連動させることができ、これによって前記ネジ山ブロック２３と作動箱４０とを移動連動させることができる。
【００２３】
前記起動装置１０５は相対した前記Ｔ型スライドチャンバ４３の中にそれぞれスライドできるように連結された左右対称な通電ブロック４４を含み、前記通電ブロック４４と前記Ｔ型スライドチャンバ４３との間には連結バネ４５が連結され、前記Ｔ型スライドチャンバ４３の底壁には接続ブロック４６が固定的に連結され、前記通電ブロック４４と前記接続ブロック４６とは電気で接続されることができ、前記接続ブロック４６の片側面には電線５６が連結され、前記電線５６と前記動力モーター６２とが連結され、前記Ｔ型スライドブロック４２は前記通電ブロック４４を移動連動させる時に前記接続ブロック４６と通電でき、前記通電ブロック４４が前記接続ブロック４６と前記電線５６とを通電させ、これによって前記動力モーター６２を回転連動させることができる。
【００２４】
前記貫通軸３３と前記大プーリー３４とが円錐形ブロックと爪車とによって連結され、左側の前記貫通軸３３が逆方向へ回転する時、二つの前記大プーリー３４が駆動されて回転し、この時右側の前記大プーリー３４は右側の貫通軸３３を回転連動させることができなく、右側の前記貫通軸３３が逆方向へ回転するとき、二つの前記大プーリー３４を回転連動させ、この時左側の前記大プーリー３４は右側の前記貫通軸３３を回転連動させることができない。
【００２５】
前記電線５６は電気で前記動力モーター６２を始動することができ、右側の前記電線５６は前記動力モーター６２を正回転させることができ、左側の前記電線５６は前記動力モーター６２を逆回転させることができる。
【００２６】
前記枠２１の底面にはいずれも二つの輪３７が設けられ、前記輪３７は装置全体を移動連動させることができる。
【００２７】
前記第二傘歯車５０の直径は前記第三傘歯車５２の直径より大きく、これによって前記タービン２８の回転速度を向上させ、吸引力を上げる。
【００２８】
清掃する時、まず駆動モーター２４を始動し、これによってネジ山ブロック２３を左側へ移動連動させ、これによって道路の縁にくっつくまで作動箱４０を左方へ移動させ、吸気ヘッド３８を道路の縁に合わせ、これによって左側のＴ型スライドブロック４２が左側の通電ブロック４４を押して右方へ移動させ、これによって通電ブロック４４と接続ブロック４６とが通電し接続され、左側の電線５６によって動力モーター６２を逆回転させ、動力軸７４の逆回転を連動させ、これによって下側の空心軸５９と駆動プーリー５８とを回転連動させ、これによって左側の従動プーリー４８と、縦軸４９と、第二傘歯車５０と、第三傘歯車５２と、横軸５１と、第四傘歯車２５と、後側傘歯車５４と、延伸軸５３と、小プーリー６７と、中プーリー６６とを回転連動させ、これによって貫通軸３３と大プーリー３４とを回転連動させ、これによってゴミと埃とを左側の吸気ヘッド３８の底へ集め、第四傘歯車２５はファン軸２７と、第一傘歯車２６と、タービン２８とを回転連動させることができ、吸気パイプ３９の底の小型ゴミと埃とを吸入チャンバ２９によって収集チャンバ６５の中に吸い込み、同時に除塵ヘッド３２によってブラシ３５についた埃も収集チャンバ６５の中に吸い込み、右側の道路の縁を清掃するとき、作動箱４０を連動させて右方へ移動させればいい。
【００２９】
本発明の有益効果は：本装置は路面状況が複雑の自転車レーンに適応され、自動的にゴミと埃を片側へ清掃でき、タービンで本装置の中に吸い込んで収集し、労働者が熱い夏や寒い冬に手動でゴミや埃を清掃する必要はなく、同時に手動で清掃するより効率が上げられ、間接的に労働者の身体健康を守り、人力と物質を節約できる。
【００３０】
また、本装置は道路の縁の一番清掃しにくいゴミと埃とを適時に清掃でき、二つの起動装置により、逆行しなくても左右両側の道路の縁にあるゴミを清掃できる。
【００３１】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020204242.tif 000003
【図２】
2020204242.tif 000004
【図３】
2020204242.tif 000005
【図４】
2020204242.tif 000006
【図５】
2020204242.tif 000007
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、左右対称に設置された枠を含み、前記枠の中にはいずれも開口空間が設けられ、二つの前記開口空間の頂壁にはそれぞれＴ型スライドブロックが固定的に設けられ、前記枠の下側には作動箱が設けられ、前記作動箱の頂面には上方に開口したＴ型スライドチャンバが設けられ、前記Ｔ型スライドブロックと前記Ｔ型スライドチャンバとがスライドできるように連結され、前記作動箱の中には吸入チャンバが左右対称に設けられ、前記吸入チャンバの中には吸塵装置が設けられ、
前記吸塵装置は前記吸入チャンバの底壁に設けられた吸気パイプを含み、二つの前記吸気パイプの間には下方に開口した底部空間が設けられ、前記吸気パイプの底側には前記作動箱の底面と固定的に連結された吸気ヘッドが連通するように設けられ、前記吸入チャンバの底壁には前記底部空間と連通した吸入パイプが設けられ、前記吸入パイプの底側には前記底部空間の頂壁と固定的に連結された除塵ヘッドが設けられ、前記吸入チャンバの前側壁にはファン軸が回転できるように連結され、前記ファン軸の前側には第一傘歯車が固定的に設けられ、前記ファン軸の後側にはタービンが固定的に設けられ、前記吸入チャンバの後側壁にはいずれも収集チャンバが設けられ、前記収集チャンバの左側壁には取り外し可能な濾過網が設けられ、
前記底部空間の中には地面を清掃することができる清掃装置が設けられ、前記底部空間の頂側には動力空間が設けられ、前記動力空間の左右側壁には連動空間が対称的に設けられ、前記連動空間の後側には作動空間が設けられ、前記作動空間と、前記動力空間と、前記連動空間との間には前記吸塵装置と前記清掃装置とを始動できる動力装置が設けられ、前記枠には前記作動箱を左へ駆動し移動させることができる駆動装置が設けられ、前記Ｔ型スライドチャンバの中には前記動力装置の作動を制御することができる起動装置が設けられていることを特徴とする自転車レーンに適用される小型自動清掃車。
【請求項２】
前記清掃装置は貫通軸と、大プーリーと、清掃ベルトと、ブラシと、中プーリーとを含み、前記底部空間の前後側壁には前記貫通軸が回転できるように左右対称に取り付けられ、前記貫通軸には前記大プーリーが設けられ、二つの前記大プーリーの間には前記清掃ベルトが連結され、前記清掃ベルトには埃を清掃できる前記ブラシが固定的に設けられ、前記貫通軸が後へ伸び前記底部空間の後側壁を貫通して前記作動空間の中に入り、且つ前記作動空間の前後側壁と回転できるように連結され、前記貫通軸のうち前記作動空間の中に位置したところには前記中プーリーが固定的に設けられていることを特徴とする請求項１に記載の自転車レーンに適用される小型自動清掃車。
【請求項３】
前記動力装置は動力モーターと、動力軸と、台形ブロックと、空心軸と、凹チャンバと、駆動プーリーと、縦軸と、従動プーリーと、伝動ベルトと、第二傘歯車と、横軸と、第三傘歯車と、第四傘歯車と、延伸軸と、後側傘歯車と、小プーリーと、駆動ベルトとを含み、前記動力空間の前後側壁には前記動力モーターが固定的に取り付けられ、前記動力モーターの中には前記動力軸が連結され、前記動力軸には前記台形ブロックが上下対称に設けられ、前記動力空間の上下側壁には前記空心軸が対称に回転できるように連結され、前記空心軸の中には前記凹チャンバが設けられ、前記凹チャンバの内壁には前記台形ブロックと協働することができる爪車が固定的に設けられ、上下両側の前記爪車と前記台形ブロックとの取り付け方向が逆であり、前記動力軸が正方向へ回転する時に上側の前記空心軸を回転連動させることができ、前記動力軸が逆方向へ回転する時に下側の前記空心軸を回転連動させることができ、前記空心軸にはそれぞれ前記駆動プーリーが固定的に設けられ、前記連動空間の上下側壁にはそれぞれ前記縦軸が回転できるように連結され、前記縦軸の下側には前記従動プーリーが固定的に設けられ、前記従動プーリーと前記駆動プーリーとの間には前記伝動ベルトが連結され、前記従動プーリーと前記駆動プーリーとが相対しており、前記縦軸の上側には前記第二傘歯車が固定的に設けられ、前記吸入チャンバと前記連動空間の片側壁との間には前記横軸が左右対称に回転できるように連結され、前記横軸の片側には前記第二傘歯車と噛合した前記第三傘歯車が固定的に設けられ、前記横軸のもう片側には前記第一傘歯車と噛合した前記第四傘歯車が固定的に設けられ、二つの前記連動空間の後側壁にはそれぞれ前記延伸軸が回転できるように連結され、前記延伸軸の前側には前記第二傘歯車と噛合した前記後側傘歯車が固定的に設けられ、二つの前記延伸軸が後方へ伸び前記連動空間の後側壁を貫通して前記作動空間の中に入り、且つ前記作動空間の前後側壁と回転できるように連結され、前記延伸軸が前記作動空間の中に位置したところにはそれぞれ前記小プーリーが固定的に設けられ、前記小プーリーと前記中プーリーとの間には前記駆動ベルトが連結されていることを特徴とする請求項２に記載の自転車レーンに適用される小型自動清掃車。
【請求項４】
前記駆動装置は駆動モーターと、駆動親ねじと、ネジ山ブロックとを含み、右側の前記枠の左側面には前記駆動モーターが固定的に取り付けられ、前記駆動モーターの中には左側の前記枠の右側面と回転できるように連結された前記駆動親ねじが連結され、前記駆動親ねじには前記ネジ山ブロックがねじ山によって連結され、前記ネジ山ブロックの底側が前記作動箱と固定的に連結されていることを特徴とする請求項１に記載の自転車レーンに適用される小型自動清掃車。
【請求項５】
前記起動装置は通電ブロックと、連結バネと、接続ブロックと、電線とを含み、相対した前記Ｔ型スライドチャンバの中にはそれぞれ左右対称な前記通電ブロックがスライドできるように連結され、前記通電ブロックと前記Ｔ型スライドチャンバとの間には前記連結バネが連結され、前記Ｔ型スライドチャンバの底壁には前記接続ブロックが固定的に連結され、前記通電ブロックと前記接続ブロックとは電気で接続されることができ、前記接続ブロックの片側面には前記電線が連結され、前記電線と前記動力モーターとが連結されていることを特徴とする請求項３に記載の自転車レーンに適用される小型自動清掃車。
【請求項６】
前記貫通軸と前記大プーリーとが円錐形ブロックと爪車とによって連結され、左側の前記貫通軸が逆方向へ回転する時、二つの前記大プーリーが駆動されて回転し、この時右側の前記大プーリーは右側の貫通軸を回転連動させることができなく、右側の前記貫通軸が逆方向へ回転するとき、二つの前記大プーリーを回転連動させ、この時左側の前記大プーリーは右側の前記貫通軸を回転連動させることができないことを特徴とする請求項２に記載の自転車レーンに適用される小型自動清掃車。
【請求項７】
前記電線は電気で前記動力モーターを始動することができることを特徴とする請求項５に記載の自転車レーンに適用される小型自動清掃車。
【請求項８】
前記枠の底面にはいずれも二つの輪が設けられていることを特徴とする請求項１に記載の自転車レーンに適用される小型自動清掃車。
【請求項９】
前記第二傘歯車の直径は前記第三傘歯車の直径より大きいことを特徴とする請求項３に記載の自転車レーンに適用される小型自動清掃車。